(57)【要約】携帯用電子装置（５）のためのヘッドセットワイヤ（１０）が、第１のスピーカ（１３）に電気的に接続可能なワイヤの第１の対（１１）と、マイクロフォン（１４Ｂ）又は第２のラウドスピーカ（１４）に電気的に接続可能なワイヤの第２の対（１２）とを含む。ヘッドセットワイヤ（１０）がさらに、ワイヤの第１及び第２の対（１１，１２）を解放可能に結合するためのジッパー（２０）又はケーブルロック（３８）を含む。
2006527934.tif 000002
【特許請求の範囲】
【請求項１】
携帯用電子装置（５）のためのヘッドセットワイヤ（１０）であって、
第１のスピーカ（１３）に電気的に接続可能なワイヤの第１の対（１１）と、
マイクロフォン（１４Ｂ）又は第２のスピーカ（１４）に電気的に接続可能なワイヤの第２の対（１２）とが設けられている形式のものにおいて、
ヘッドセットワイヤ（１０）がさらに、ワイヤの第１及び第２の対（１１，１２）を解放可能に結合するためのジッパー（１８）を含むことを特徴とする、携帯用電子装置のためのヘッドセットワイヤ。
【請求項２】
ワイヤの第１及び第２の対（１１，１２）がさらに、ジッパー（１８）のスライダエレメント（２４）の移動に応じて互いに嵌合するか又は互いから解離するためのフック（２１，２２）を含む、請求項１記載のヘッドセットワイヤ。
【請求項３】
ワイヤの第１及び第２の対（１１，１２）が、ワイヤ（１１，１２）の第１及び第２の対のための電気的絶縁を提供するために使用される同じポリマ材料を使用することによってフック（２１，２２）に結合されている、請求項２記載のヘッドセットワイヤ。
【請求項４】
ジッパー（１８）の移動が、携帯用電子装置（５）にヘッドセットワイヤ（１０）を接続するためのコネクタ（１７Ａ）によって制限されている、請求項１から３までのいずれか１項記載のヘッドセットワイヤ。
【発明の詳細な説明】
【技術分野】
【０００１】
多くの現代の携帯用電子装置は、音響信号の記録又は再生のために使用されかつ適している。多くの用途のために、１つ又は２つ以上の耳栓の形式の１つ又は２つ以上のスピーカ、又は１つ又は２つ以上のマイクロフォンを有する必要がある。例えば、ヘッドセットを使用することによって、携帯電話の利用者は、その人の周囲の人が電話の会話を聞くことができない場合によりプライバシーを守ることができる。さらに、ヘッドセットにおける適切なマイクロフォンを使用することによって、電話の話しかけは、背後に大きな騒音があったとしても依然として聞き取られることができる。
【０００２】
スピーカ及びマイクロフォンは通常、それぞれの対が通常は１つの絶縁体内に封入された２対のワイヤを含むヘッドセットワイヤを使用することによって、携帯用電子装置に接続されている。２対のワイヤの１つの不都合な欠点は、それらが容易に絡まるということである。ヘッドセットは常に使用されるというわけではなく、例えば装置は搬送されている場合、ヘッドセットワイヤは使用者のポケットに仕舞われる。１つの明白なソリューションは、装置への又はヘッドセットのためのリールを有することであるが、これは、魅力的なデザインも望まれるならば受け入れられない。
【０００３】
米国特許第６３７４１２６号明細書は、第１及び第２の耳栓を有するハンズフリーヘッドセットを示している。ヘッドセットは、携帯用通信装置と係合する２つの引込可能なコードを有している。引込可能なコードに取り付けられた摺動グロメットは、コードの分離を制御し、２つのコードが共通のコードリールに巻き取られるのを容易にする。
【０００４】
特開２００２−０７８０６０号公報は、コード区分が携帯電話のストラップのように作用することを許容するループにおいて互いに結合された２つの結合部材を含むストラップを示している。ループ状ではなく直線状に結合された結合部材は、ヘッドフォンに提供された接続コードの一部のように作用する。
【０００５】
本発明の目的は、絡まったワイヤの現象を著しく生じにくい、携帯用電子装置のためのこのようなヘッドセットワイヤ提供することである。これは、独立請求項に記載されたようなヘッドセットワイヤによって達成される。本発明による手段を使用することによって、使用者は、絡まるワイヤを１つに減じることができ、これにより、ヘッドセットワイヤの使用の快適性を高める。
【０００６】
従属請求項は発明の様々な実施形態を示す。
【０００７】
本発明の別の態様によれば、ヘッドセットワイヤにおける摺動可能な結合手段の位置は調整可能に形成されることができ、これにより、様々な寸法の使用者によって１つのヘッドセットを共用することができる。
【０００８】
以下には、発明が、添付の図面１〜３における例を参照してより詳細に説明される。
【０００９】
図１は、本発明によるヘッドセットワイヤを備えた携帯用電子装置を示している。
【００１０】
図２は、摺動可能な結合手段がジッパーを含む、ヘッドセットワイヤを示している。
【００１１】
図３は、摺動可能な結合手段が、ワイヤの第１及び第２の対の周囲に配置されたばね状エレメントをロックするためのケーブルロックを含む、ヘッドセットワイヤを示している。
【００１２】
図１は、本発明によるヘッドセットワイヤ１０と共に携帯用電子装置５を示している。ヘッドセットワイヤ１０は、コネクタ１７Ａをコネクタソケット１７Ｂに差し込むことによって携帯用電子装置５に接続されることができる。ヘッドセットワイヤ１０はワイヤの２つの対１１，１２を有している。
【００１３】
ワイヤの第１の対１１は第１のスピーカ１３に接続されており、第２の対１２は第２のスピーカ１４に接続されている。イヤホン状ソリューションを有する代わりに、第２のスピーカ１４はマイクロフォン１４Ｂと交換されることができる。従来の形式のヘッドセットは通常、例えば携帯用ＣＤ又はＭＰ３プレーヤ、携帯用ラジオ等のためのステレオイヤホンとして使用される。後者の形式のヘッドセットは通常、携帯電話及びその他の無線端子のために使用される。さらに、ヘッドセットワイヤ１０は、ワイヤの第１及び第２の対１１，１２を解放可能に互いに近づけるか又はこれらの対を解放可能に結合するための摺動可能な結合手段１８を有している。
【００１４】
図２は、摺動可能な結合手段がジッパー２０を含む、ヘッドセットワイヤ１０を示している。ジッパー２０は、ワイヤ対１１，１２の周囲の絶縁材料の絶縁材料２５の延長に固定されたフック２１，２２の２つの列を有している。通常、これは、何らかのポリマ材料であるが、実用的には、その弾性特性が目的に叶っているあらゆる絶縁材料であることができる。
【００１５】
フック２１，２２は、一般的にジッパーの場合のように、通常の操作タブ１８が設けられた慣用のスライダ又はスライダ手段２４によってファスナを形成するように接合される。スライダ手段２４は常にＹ字形チャネルを有しており、このチャネルをフック２１，２２が通過する。ジッパー２０の端部には末端部材２３が設けられており、この末端部材は、スライダ手段２４が、フック２１，２２が配置されている領域を超えてしまうのを阻止する。末端部材２３は、コネクタ１７Ａに一体的に組み込まれることができるか、又は別個の部材であることができる。
【００１６】
フック２１，２２は、ワイヤにおける絶縁部における凹所として製造されることができる。
【００１７】
使用者は、スライダ手段２４の位置を選択することによって、ヘッドセットの寸法Ｘ，Ｙ及び角度αを調整することができる。
【００１８】
図３は、摺動可能な結合部材１８が、ワイヤの第１及び第２の対１１，１２の周囲に配置されたばね状エレメント３１をロックするためのケーブルロック３８を有している、ヘッドセットワイヤ１０を示している。この場合、ばね状（すなわち螺旋状）エレメント３１は下端部においてコネクタ１７Ａに固定されている。この場合、ジッパーを開閉する代わりに、ばね状エレメント３１は圧縮又は延長される。したがって、ばね状エレメントは、通常位置の調整を助ける戻し力を提供する。使用者は、図２に示された例と同様にケーブルロック３８の位置を選択することによってヘッドセットの寸法Ｘ，Ｙ及び角度αを調整することができる。通常、この通常位置は、使用者の大きさに応じて変化する、通常衣料産業において使用される様々なサイズ分類、例えばＳ、Ｍ，Ｌ，ＸＬに分類されることができる。
【００１９】
ケーブルロック３８は、使用者のウエストの周囲のひもの長さを設定するためにコート及びこのようなガーメントにおいて一般的に使用されるものであることもできる。次いで、ケーブルロック３８は、ロックを解放するボタンを押すことによって解放され、これにより、ケーブルロック３８はワイヤの２つの対に沿って摺動させられることができる。
【００２０】
サイズ変化は図２の例にも当てはまり、図２及び図３の実施形態は別個に考えられる必要はなく、ヘッドセットワイヤにおいて一緒に実施されることもできる。
【００２１】
従来のジッパーフックの代わりに、固定手段１１，１２には、第１の側に雄結合部材が、第２の側に雌結合部材が設けられることができる。これらの結合部材は、押圧することによって互いに嵌合する凹所及び延長部の形式であることができる。
【００２２】
固定手段１１，１２は、ワイヤ対の絶縁体に設けられることもできる。特に前の段落の実施形態においては、結果的なシステムは、特に容易に製造及び使用される。
【００２３】
本発明は添付図面に示された例を参照して上に説明されたが、本発明はこれらに限定されるのではなく、発明の範囲からの相違なしに当業者によって変更されることができることは明らかである。
【図面の簡単な説明】
【００２４】
【図１】本発明によるヘッドセットワイヤを備えた携帯用電子装置を示している。
【図２】摺動可能な接続手段がジッパーを含む、ヘッドセットワイヤを示している。
【図３】摺動可能な接続手段が、ワイヤの第１及び第２の対の周囲に配置されたばね状エレメントをロックするためのケーブルロックを含む、ヘッドセットワイヤを示している。
【符号の説明】
【００２５】
５  携帯用電子装置、  １０  ヘッドセットワイヤ、  １１，１２  ワイヤの対、  １３，１４  スピーカ、  １７Ａ  コネクタ、  １７Ｂ  コネクタソケット、  １８  操作タブ、  ２０  ジッパー、  ２１，２２  フック、  ２３  末端部材、  ２４  スライダ手段、  ２５  絶縁材料、  ３１  ばね状エレメント、  ３８  ケーブルロック
【図１】
2006527934.tif 000003
【図２】
2006527934.tif 000004
【図３】
2006527934.tif 000005
【国際調査報告】
2006527934.tif 000006
2006527934.tif 000007
2006527934.tif 000008